(57)【特許請求の範囲】
【請求項１】
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行い、
更に、１日より長い期間を単位時間とした時系列の軸を第１の軸とし、前記単位時間毎の検査日の数を第２の軸とするグラフを生成し、
生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する
処理をコンピュータに実行させる画像表示プログラム。
【請求項２】
前記第２のシステムに提供する制御を行うことでは、前記第２のシステムから前記特定の患者の検査結果画像の取得要求を受信すると、前記特定の患者についての１又は複数の検査結果画像のうち、前記第１のシステムにおいて付加情報が登録された検査結果画像を前記第２のシステムに提供する請求項１記載の画像表示プログラム。
【請求項３】
更に、前記第２のシステムにおいて前記グラフ上の検査日がユーザにより選択された場合、前記選択された前記検査日に対応する、前記特定の患者についての１又は複数の検査結果画像を前記第２のシステムに提供する請求項１又は２記載の画像表示プログラム。
【請求項４】
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行い、
更に、１日より長い期間を単位時間とした時系列の軸を第１の軸とし、前記単位時間毎の検査日の数を第２の軸とするグラフを生成し、
生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する
ことを含む処理をコンピュータが実行する画像表示方法。
【請求項５】
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行い、
更に、１日より長い期間を単位時間とした時系列の軸を第１の軸とし、前記単位時間毎の検査日の数を第２の軸とするグラフを生成し、
生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する制御部
を含む、画像表示装置。
【請求項６】
前記付加情報は、前記検査結果画像に登録されるアノテーション情報であることを特徴とする請求項１記載の画像表示プログラム。
【請求項７】
前記制御は、前記第１のシステムにおいて付加情報が登録された前記検査結果画像に対応するサムネイル画像を識別可能に変更する処理であることを特徴とする請求項１記載の画像表示プログラム。
【発明の詳細な説明】
【技術分野】
【０００１】
開示する技術は、画像表示プログラム、方法、及び装置に関する。
【背景技術】
【０００２】
従来、格納部に格納された被検体の検査情報の付帯情報を用いて診断対象となる基準検査と比較又は参照される候補となる候補検査情報を抽出し、候補検査情報を表示画面の所定の表示領域に表示する技術がある。
【先行技術文献】
【特許文献】
【０００３】
【特許文献１】国際公開第２０１１／１２２４０２号パンフレット
【発明の概要】
【発明が解決しようとする課題】
【０００４】
１つの側面では、開示する技術は、参照すべき検査結果画像を適切に表示することを目的とする。
【課題を解決するための手段】
【０００５】
一つの態様として、開示の技術は、特定の患者についての検査結果画像が登録された第１のシステムとは異なる第２のシステムから前記特定の患者の検査結果画像の取得要求を受信する。そして、前記特定の患者についての１又は複数の検査結果画像のうち、前記第１のシステムにおいて付加情報が登録された検査結果画像を、識別可能に前記第２のシステムに提供する制御を行う。なお、前記第１のシステムにおいて付加情報が登録された検査結果画像を、前記第１のシステムにおいて付加情報が登録されていない検査結果画像と識別可能に提供する制御を行うものとする。また、更に、１日より長い期間を単位時間とした時系列の軸を第１の軸とし、前記単位時間毎の検査日の数を第２の軸とするグラフを生成する。また、生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する。
【発明の効果】
【０００６】
一つの側面として、参照すべき検査結果画像を適切に提供することができる、という効果を有する。
【図面の簡単な説明】
【０００７】
【図１】第１の実施形態に係る画像表示システムの構成を示す概要図である。
【図２】第１の実施形態に係る病院システムの構成を示す概要図である。
【図３】画像情報リストの一例を示す図である。
【図４】オーダリストの一例を示す図である。
【図５】公開検査リストの一例を示す図である。
【図６】公開画像情報リストの一例を示す図である。
【図７】画像参照画面の一例を示す図である。
【図８】サムネイル画像を表示した一例を示す図である。
【図９】シリーズの画像を表示する一例を示す図である。
【図１０】グラフの一例を示す図である。
【図１１】検査日に対応したシリーズ毎の画像を表示する一例を示す図である。
【図１２】第１の実施形態に係る統合管理装置の機能的構成を示すブロック図である。
【図１３】インデックスリストの一例を示す図である。
【図１４】グラフの一例を示す図である。
【図１５】第１の実施形態に係る統合管理装置として機能するコンピュータの概略構成を示すブロック図である。
【図１６】サムネイル画像を表示する処理のシーケンス図である。
【図１７】ドラッグ操作が行われた際の処理のシーケンス図である。
【図１８】グラフを表示する処理のシーケンス図である。
【図１９】検査日が選択された際の処理のシーケンス図である。
【図２０】第１の実施形態に係る統合管理装置におけるサムネイル画像表示処理の一例を示すフローチャートである。
【図２１】第１の実施形態に係る統合管理装置におけるグラフ表示処理の一例を示すフローチャートである。
【図２２】第１の実施形態に係る統合管理装置におけるシリーズ画像表示処理の一例を示すフローチャートである。
【図２３】第１の実施形態に係る統合管理装置における検査日シリーズ画像表示処理の一例を示すフローチャートである。
【図２４】第２の実施形態に係る統合管理装置の機能的構成を示すブロック図である。
【図２５】サムネイル画像を表示する一例を示す図である。
【図２６】第２の実施形態に係る統合管理装置におけるサムネイル画像表示処理の一例を示すフローチャートである。
【発明を実施するための形態】
【０００８】
以下、開示する技術に係る実施形態について説明する。
【０００９】
まず、本実施形態の概要について説明する。
【００１０】
患者が病院等を移る場合に、紹介先の病院において、紹介元の病院における過去から現在までの診療データを参照する必要がある場合がある。
【００１１】
具体的には、診療所等で治療中の患者を必要に応じて高度な医療を受けられる中核病院へ紹介する場合や、中核病院で治療を受け、回復期に移行した患者をかかりつけ医へと紹介する場合である。また、緊急（輸番運用で他施設の診療情報を参照する必要がある場合）の場合等である。
【００１２】
この点について、地域連携システムが導入されたことにより、特定の病院において、患者の診断を行う際に、特定の病院とは別の他の病院における当該患者の過去から現在までの公開されている診療データを参照することができる。
【００１３】
そのため、他の病院から、当該患者の過去からの全ての公開されている画像データが参照可能になるため、参照すべき画像又は診断に必要な情報が多すぎて診療自体に困窮をきたす可能性がある。
【００１４】
本実施形態に係る画像表示プログラムにおいては、当該患者について参照すべき検査結果画像を自動的に抽出し、更に診療イベントと画像の関係性をわかりやすくするため、検査情報を時系列で表示する。
【００１５】
以下、図面を参照して、本実施形態について詳細に説明する。
【００１６】
図１は、第１の実施形態の画像表示システム１の一例である。図１に示すように、画像表示システム１は、病院システム３の各々と、統合管理装置４とを有する。なお、病院システム３が、開示の技術の第１のシステム、及び第２のシステムの一例である。
【００１７】
第１の実施形態に係る統合管理装置４は、インターネット等のネットワーク２を介して、病院システム３の各々と相互に通信可能に接続される。
【００１８】
なお、図１における病院システム３は、２つの場合について図示したが、病院システム３の数は図示の例に限定されず、画像表示システム１は任意の数の病院システム３を有することができる。
【００１９】
次に、第１の実施形態に係る病院システム３について説明する。図２に、第１の実施形態に係る病院システム３の概要図を示す。図２に示すように、病院システム３は、ＰＡＣＳ（Picture Archiving and Communication System）サーバ１０と、電子カルテサーバ１２と、職員用端末１４と、地域連携サーバ１６と、医師用端末１８とを有する。
【００２０】
ＰＡＣＳサーバ１０は、ＰＡＣＳサーバ１０が存在する病院システム３に対応する病院において検査された患者各々の、画像関連情報を保持している。具体的には、ＰＡＣＳサーバは、図３に示す画像情報リスト１００と、各シリーズに対応したサムネイル画像の各々と、各シリーズに対応した画像群の各々とを保持している。なお、サムネイル画像、又はシリーズに対応した画像が、開示の技術の検査結果画像の一例である。
【００２１】
なお、図３に示す画像情報リスト１００は、エントリＩＤ、検査ＵＩＤ、シリーズＵＩＤ、画像枚数、画像格納情報、サムネイル格納情報、及びアノテーションフラグ情報を有する画像情報の各々を有する。また、画像情報リスト１００の１行のエントリが１つの画像情報に対応する。また、画像関連情報には、特定のシリーズに対応する画像情報と、サムネイル画像と、画像群とが含まれる。
【００２２】
ここで、画像情報の「ＩＤ」の欄の情報が、エントリＩＤを表し、「画像格納情報」の欄の情報が、対象となるシリーズの画像群の格納場所を表わし、「サムネイル格納場所情報」の欄が、対象となるシリーズのサムネイル画像の格納場所を表す。
【００２３】
また、画像情報の「アノテーションフラグ」の欄の情報が、アノテーション記載の操作の有無を表す情報であり、１である場合には、対応するシリーズに含まれる何れかの画像にアノテーション記載の操作が行われたことを表す。なお、医師用端末１８において、特定の検査における、特定のシリーズに含まれる画像の何れかにアノテーション記載の操作が行われた場合、当該シリーズに対応する画像情報の「アノテーションフラグ」の欄の情報が１となる。なお、「アノテーションフラグ」の欄の初期値は０である。
【００２４】
また、検査ＵＩＤとは、各検査における一意なＩＤである。また、シリーズＵＩＤとは、各シリーズにおける一意なＩＤである。そのため、同一の病院内において、検査ＵＩＤ、又はシリーズＵＩＤが重複することはないものとする。
【００２５】
ここで、シリーズとは、１つの検査において少なくとも１つ以上含まれるものであり、１つの検査内における１回のＣＴ等の撮影単位毎に撮影された画像群を表すものである。
【００２６】
例えば、対象となる検査が、患者の血管について検査を行うことを対象とする場合、当該検査において、患者の血管を見やすくするために血管に薬品を投入して撮影する場合について考える。
【００２７】
この場合、例えば、血管に薬品を投入してからの初期段階、中期段階、及び後期段階の３回、ＣＴ等により患者に対して患者の一定の範囲について、一定の間隔によって撮影を行うため、１つの検査において３つのシリーズが存在する。更に、シリーズの各々について、ＣＴ等により患者の断面を撮影した画像群が存在する。
【００２８】
また、画像枚数とは、対応するシリーズに含まれる画像の枚数である。
【００２９】
電子カルテサーバ１２は、電子カルテサーバ１２が存在する病院システム３に対応する病院において検査された患者各々の、カルテ情報を保持している。なお、カルテ情報には、受付番号、患者ＩＤ、検査ＵＩＤ、検査日、及びイベント情報が含まれている。ここで、イベント情報とは、当該カルテ情報に対応する検査におけるイベントであり、入院、退院、又は手術等のイベントを表すものである。なお、イベント情報は、上記の例に限定されず、予め定義されているカルテ内の記載箇所に記載された内容、又は、特定の文字列等であってもよい。また、イベントが、開示の技術における注目すべき情報の一例である。また、入院、退院、又は手術等は、開示の技術における注目すべき情報の種類の一例である。
【００３０】
また、カルテ情報には、対応する検査におけるシリーズ毎の画像群が含まれているものとする。また、受付番号は、検査ＵＩＤに対して一意に決まっているものとする。
【００３１】
職員用端末１４は、職員により操作される端末であり、当該職員により公開操作を受け付け、公開指定情報を地域連携サーバ１６に出力する。ここで、公開操作とは、当該職員により入力された、他の病院に開示するための情報に対応する、患者ＩＤ及び期間の情報を地域連携サーバ１６に出力する操作のことである。また、公開指定情報とは、患者ＩＤ及び期間（始点となる日、及び終点となる日）の組み合わせである。
【００３２】
地域連携サーバ１６は、職員用端末１４から入力された公開指定情報に基づいて、ＰＡＣＳサーバ１０及び電子カルテサーバ１２から公開指定情報に対応する情報の各々を取得する。
【００３３】
具体的には、地域連携サーバ１６は、電子カルテサーバ１２から、受け付けた公開指定情報の患者ＩＤ及び期間に対応するカルテ情報を取得する。より具体的には、地域連携サーバ１６は、電子カルテサーバ１２から、カルテ情報に含まれる患者ＩＤと公開指定情報の患者ＩＤとが一致し、かつ、カルテ情報の検査日が、公開指定情報の期間内であるカルテ情報の各々を取得する。
【００３４】
また、地域連携サーバ１６は、取得したカルテ情報の各々について、当該カルテ情報に含まれるシリーズの各々に対応する画像関連情報を、ＰＡＣＳサーバ１０から取得する。地域連携サーバ１６は、ＰＡＣＳサーバ１０から、画像情報リスト１００の「検査ＵＩＤ」の欄が、カルテ情報に含まれる検査ＵＩＤと一致する画像情報の各々を取得する。
【００３５】
また、地域連携サーバ１６は、ＰＡＣＳサーバ１０から、取得した画像情報の各々について、当該画像情報に対応するシリーズのサムネイル画像と、画像群とを取得し、当該画像情報と組み合わせて、当該画像情報に対応するシリーズの画像関連情報として取得する。なお、地域連携サーバ１６が、ＰＡＣＳサーバ１０、及び電子カルテサーバ１２から各種情報を取得する方法は何れの方法を用いても良く、方法は問わない。
【００３６】
また、地域連携サーバ１６は、例えば、図４に示すオーダリスト１０２と、図５に示す公開検査リスト１０４と、図６に示す公開画像情報リスト１０６とを保持している。
【００３７】
ここで、オーダリスト１０２は、受付番号と患者ＩＤとの組み合わせを有する、１つのオーダ情報の各々を有する。また、公開検査リスト１０４は、検査ＵＩＤ、患者ＩＤ、検査日、及び受付番号を有する、公開検査情報の各々を有する。また、公開画像情報リスト１０６は、検査ＵＩＤ、シリーズＵＩＤ、画像枚数、画像格納情報、サムネイル格納情報、及びアノテーションフラグを有する、公開画像情報の各々を有する。
【００３８】
また、地域連携サーバ１６は、取得したカルテ情報に基づいて、オーダリスト１０２にエントリ（各行、以下同様）を追加する。具体的には、地域連携サーバ１６は、取得したカルテ情報の各々について、当該カルテ情報に含まれる受付番号と、患者ＩＤとの組み合わせをオーダ情報として、オーダリスト１０２に新たなエントリとして追加する。
【００３９】
また、地域連携サーバ１６は、取得したカルテ情報に基づいて、公開検査リスト１０４にエントリを追加する。具体的には、地域連携サーバ１６は、取得したカルテ情報の各々について、当該カルテ情報に含まれる検査ＵＩＤ、患者ＩＤ，検査日、及び受付番号を含む公開検査情報に対応するエントリを、公開検査リスト１０４に追加する。
【００４０】
また、地域連携サーバ１６は、取得した画像関連情報に基づいて、公開画像情報リスト１０６にエントリを追加する。具体的には、地域連携サーバ１６は、取得した画像関連情報の各々について、当該画像情報に含まれる検査ＵＩＤ、シリーズＵＩＤ、画像枚数、及びアノテーションフラグを含む公開画像情報に対応するエントリを、公開画像情報リスト１０６に追加する。
【００４１】
また、地域連携サーバ１６は、取得した画像関連情報の各々について、画像群と、サムネイル画像とを所定の格納先に格納する。また、地域連携サーバ１６は、当該格納先の各々を、公開画像情報リスト１０６に追加した対応するエントリの「画像格納情報」の欄、及び「サムネイル格納情報」の欄の各々に格納する。
【００４２】
また、地域連携サーバ１６は、オーダリスト１０２、公開検査リスト１０４、及び公開画像情報リスト１０６に基づいて、インデックス情報を、ネットワーク２を介して、統合管理装置４へ送信する。ここで、インデックス情報には、受付番号、検査ＵＩＤ、シリーズＵＩＤ、患者ＩＤ，サムネイル格納情報、画像格納情報、画像サーバ情報、及び検査日の各々の情報が含まれる。
【００４３】
具体的には、地域連携サーバ１６は、公開画像情報リスト１０６に含まれる公開画像情報の各々について、公開検査リスト１０４の「検査ＵＩＤ」欄が、当該公開画像情報の検査ＵＩＤと一致する公開検査情報の「受付番号」の欄の情報を、受付番号として取得する。
【００４４】
また、地域連携サーバ１６は、公開画像情報リスト１０６に含まれる公開画像情報の各々について、公開検査リスト１０４の「検査ＵＩＤ」の欄が、当該公開画像情報の検査ＵＩＤと一致する公開検査情報の「検査日」の欄の情報を、検査日として取得する。
【００４５】
また、地域連携サーバ１６は、公開画像情報リスト１０６に含まれる公開画像情報の各々について、公開検査リスト１０４の「検査ＵＩＤ」の欄が、当該公開画像情報の検査ＵＩＤと一致する公開検査情報の「患者ＩＤ」の欄の情報を、患者ＩＤとして取得する。
【００４６】
また、地域連携サーバ１６は、公開画像情報リスト１０６に含まれる公開画像情報の各々について、インデックス情報を生成する。ここで、インデックス情報には、当該公開画像情報に含まれる検査ＵＩＤ、シリーズＵＩＤ、画像格納情報、及びサムネイル格納情報と、取得した当該公開画像情報に対応する各種情報と、地域連携サーバ１６が存在する病院の情報である画像サーバ情報とを含む。なお、各種情報には、公開画像情報に対応する受付番号、検査日、及び患者ＩＤが含まれる。また、地域連携サーバ１６が存在する病院の情報は、病院システム３毎に、予め定義されているものとする。
【００４７】
そして、地域連携サーバ１６は、生成したインデックス情報を、ネットワーク２を介して、統合管理装置４へ送信する。
【００４８】
また、地域連携サーバ１６は、ネットワーク２を介して統合管理装置４から、サムネイル画像問合せ情報を受け付けると、当該サムネイル画像問合せ情報に対応したサムネイル画像情報を生成し、ネットワーク２を介して統合管理装置４へ送信する。なお、ネットワークを介して受け付けることが、開示の技術の受信の一例である。
【００４９】
ここで、サムネイル画像情報とは、サムネイル画像問合せ情報に対応したサムネイル画像と、アノテーションフラグの情報と、サムネイル画像問合せ情報に含まれるエントリＩＤとの組み合わせである。
【００５０】
具体的には、地域連携サーバ１６は、受け付けたサムネイル画像問合せ情報に含まれるサムネイル格納情報に基づいて、地域連携サーバ１６に格納されているサムネイル画像を取得する。
【００５１】
また、地域連携サーバ１６は、公開画像情報リスト１０６に含まれる公開画像情報のうち、「シリーズＵＩＤ」の欄と、「検査ＵＩＤ」の欄とが、サムネイル画像問合せ情報に含まれるシリーズＵＩＤと、検査ＵＩＤと一致する公開画像情報を取得する。
【００５２】
また、地域連携サーバ１６は、取得した公開画像情報の「アノテーションフラグ」の欄の情報と、取得したサムネイル画像と、サムネイル画像問合せ情報に含まれるエントリＩＤとの組み合わせをサムネイル画像情報として生成する。そして、地域連携サーバ１６は、サムネイル画像問合せ情報の各々について、生成したサムネイル画像情報を、ネットワーク２を介して、統合管理装置４へ送信する。
【００５３】
また、地域連携サーバ１６は、ネットワーク２を介して統合管理装置４から、イベント問合せ情報を受け付けると、当該イベント問合せ情報に対応した対応イベント情報を生成し、ネットワーク２を介して統合管理装置４へ送信する。
【００５４】
ここで、対応イベント情報とは、イベント問合せ情報に対応したイベント情報と、イベント問合せ情報に含まれるエントリＩＤとの組み合わせである。
【００５５】
具体的には、地域連携サーバ１６は、受け付けたイベント問合せ情報に含まれる検査ＵＩＤに基づいて、地域連携サーバ１６に格納されているカルテ情報を取得する。また、地域連携サーバ１６は、取得したカルテ情報に含まれるイベント情報を取得する。また、地域連携サーバ１６は、取得したイベント情報と、イベント問い合わせ情報に含まれるエントリＩＤとに基づいて、対応イベント情報を生成し、ネットワーク２を介して統合管理装置４へ送信する。
【００５６】
また、地域連携サーバ１６は、ネットワーク２を介して統合管理装置４から、シリーズ画像問合せ情報を受け付けると、当該シリーズ画像問合せ情報に対応したシリーズ画像情報を生成し、ネットワーク２を介して統合管理装置４へ送信する。ここで、シリーズ画像情報とは、シリーズ画像問合せ情報に対応したシリーズの画像群と、シリーズ画像問合せ情報に含まれるエントリＩＤとの組み合わせである。
【００５７】
具体的には、地域連携サーバ１６は、受け付けたシリーズ画像問合せ情報に含まれる画像格納情報に基づいて、地域連携サーバ１６に格納されている対応するシリーズの画像群を取得する。
【００５８】
また、地域連携サーバ１６は、取得したシリーズの画像群と、シリーズ画像問合せ情報に含まれるエントリＩＤとの組み合わせをシリーズ画像情報として生成し、ネットワーク２を介して、統合管理装置４へ送信する。
【００５９】
また、地域連携サーバ１６は、ネットワーク２を介して統合管理装置４から、検査日画像問合せ情報を受け付けると、当該検査日画像問合せ情報に対応した検査日シリーズ画像情報を生成し、ネットワーク２を介して統合管理装置４へ送信する。ここで、検査日シリーズ画像情報とは、検査日画像問合せ情報に対応したシリーズ毎の画像群が含まれる。
【００６０】
具体的には、地域連携サーバ１６は、受け付けた検査日画像問合せ情報に含まれる検査日インデックス情報毎の画像格納情報について、当該画像格納情報に基づいて、対応するシリーズの画像群を取得する。
【００６１】
なお、検査日インデックス情報毎の画像格納情報が１つのシリーズの画像群であるものとする。そして、地域連携サーバ１６は、取得したシリーズ毎の画像群に基づいて、検査日シリーズ画像情報を生成し、ネットワーク２を介して統合管理装置４へ送信する。
【００６２】
医師用端末１８は、医師により操作される端末であり、当該医師により、ＰＡＣＳサーバ１０に格納されているシリーズ毎の画像群についてアノテーション記載の操作を行う。なお、医師用端末１８によって、アノテーション記載の操作を行った場合には、画像情報リスト１００に含まれる、アノテーション記載の操作を行った、シリーズのシリーズＵＩＤに対応する画像情報の「アノテーションフラグ」の欄の値を１に設定する。なお、医師が、開示の技術のユーザの一例である。また、アノテーション記載が、開示の技術の付加情報の一例である。
【００６３】
また、医師用端末１８は、医師により、患者ＩＤ画面（図示省略）に患者ＩＤが入力されることにより、画像参照を行う患者ＩＤを受け付けると、当該医師用端末１８の表示部（図示省略、以後同様）に、例えば、図７に示す画像参照画面１５０を表示する。なお、医師用端末１８は、患者ＩＤを受け付けると当該患者ＩＤをメモリ（図示省略、以後同様）に記憶する。
【００６４】
ここで、画像参照画面１５０は、アクション履歴表示ボタン１５２、時系列表示ボタン１５４、サムネイル画像表示部１５６、及びシリーズ画像表示部１５８を有する。
【００６５】
医師用端末１８は、アクション履歴表示ボタン１５２が押下された場合、アクション履歴表示要求を、ネットワーク２を介して、統合管理装置４へ送信する。なお、アクション履歴表示要求には、アクション履歴表示ボタン１５２が押下された情報と、メモリに記憶されている画像参照を行う患者ＩＤとの組み合わせが含まれる。また、アクション履歴表示要求が、開示の技術の取得要求の一例である。
【００６６】
なお、医師は、図８に示すように、画像参照を行う患者ＩＤに対応するシリーズの各々のサムネイル画像をサムネイル画像表示部１５６に表示させたい場合に、アクション履歴表示ボタン１５２を押下する。
【００６７】
ここで、図８に示すサムネイル画像表示部１５６に表示されるサムネイル画像の各々について、アノテーションが記載されている画像を含むシリーズに対応するサムネイル画像１６０は、他のシリーズに対応するサムネイル画像１６２と区別され、強調表示される。
【００６８】
なお、サムネイル画像表示部１５６に表示されるサムネイル画像の各々は、対応する検査ＵＩＤ、及びシリーズＵＩＤの組み合わせが、対応する箇所に埋め込まれているものとする。
【００６９】
また、医師用端末１８は、図８に示すように、サムネイル画像（１６０、又は１６２）の各々がサムネイル画像表示部１５６に表示されている場合に、医師によるドラッグ操作により、特定のサムネイル画像をシリーズ画像表示部１５８に移動させることができる。
【００７０】
当該操作を、医師用端末１８が受け付けると、ドラッグ操作の対象であるシリーズのサムネイル画像に対応するドラッグ操作表示要求を、医師用端末１８が、ネットワーク２を介して、統合管理装置４へ送信する。
【００７１】
なお、ドラッグ操作表示要求には、ドラッグ操作の対象であるシリーズのサムネイル画像に対応する検査ＵＩＤ、シリーズＵＩＤ、病院情報と、ドラッグされた位置情報と、メモリに記憶されている画像参照を行う患者ＩＤ情報とを含む。
【００７２】
なお、医師用端末１８において、当該操作が行われることにより、図９に示すように、対象となるシリーズの画像群の１枚目が、シリーズ画像表示部１５８に表示される。また、シリーズ画像表示部１５８のスクロール１６４を移動させることにより、当該シリーズの画像群のうちの表示される画像を切り替えることができる。
【００７３】
また、医師用端末１８は、時系列表示ボタン１５４が押下された場合、時系列表示ボタン１５４が押下された情報と、メモリに記憶されている画像参照を行う患者ＩＤとの組み合わせを含む時系列表示要求を、ネットワーク２を介して、統合管理装置４へ送信する。
【００７４】
なお、医師は、画像参照を行う患者ＩＤに対応する検査情報を時系列に表示した、例えば図１０に示すグラフ３００（詳細は後述する）を参照したい場合に、時系列表示ボタン１５４を押下する。
【００７５】
ここで、図１０に示すグラフは、縦軸を検査日の数の軸とし、横軸を時間軸とし、縦軸方向に積み上げられたブロックについては、上に行くほど、新しい検査日に対応し、横軸については、右に行くほど、時間が現在に近づくものとする。
【００７６】
また、図１０の検査日３０２が、１つの病院における１日の検査を表し、イベント３０４が、対応する検査日のイベントを表すものとする。なお、グラフ３００上の検査日３０２には、対応する検査日、検査ＵＩＤ、シリーズＵＩＤ、イベント情報、及び病院の情報を含む検査日情報の各々が埋め込まれているものとする。
【００７７】
また、第１の実施形態においては、１つの病院において、同一の患者に対し、１日に２検査以上行われていないことを前提として説明するが、１日に２検査以上行われていてもよい。また、同一日に他の病院で検査されたものを１つの検査日３０２として表示してもよい。同一日に他の病院で検査されたものを１つの検査日３０２として表示する場合には、１つの検査日３０２に２つの検査日情報が埋め込まれる。
【００７８】
また、医師用端末１８は、図１０に示すグラフが表示部に表示されている場合に、医師が、特定の検査日３０２を選択した場合には、検査日情報表示要求を、ネットワーク２を介して、統合管理装置４へ送信する。なお、検査日情報表示要求には、対応する検査日３０２の箇所に埋め込まれている対応する検査日情報の各々と、メモリに記憶されている画像参照を行う患者ＩＤとが含まれている。
【００７９】
なお、医師用端末１８は、当該検査日３０２を選択することにより、図１１に示すように、当該検査日３０２に対応するシリーズの各々の画像群を、シリーズ画像表示部１５８に表示させることができる。
【００８０】
また、検査日３０２が選択されることにより、表示されるシリーズの画像群については、図１１に示すように、当該検査日３０２に対応するイベント情報３０６がシリーズ画像表示部１５８に付加されるものとする。
【００８１】
また、医師用端末１８は、ネットワーク２を介して、統合管理装置４から受け付けた画面情報に基づいて、上述した、画像参照画面１５０、及びグラフ３００を表示部に表示する。
【００８２】
次に、第１の実施形態に係る統合管理装置４について説明する。図１２に、第１の実施形態に係る統合管理装置４の機能ブロック図を示す。図１２に示すように、統合管理装置４は、登録部２０と、記憶部２２と、検索部２４と、グラフ作成部２６と、表示制御部２８とを有する。
【００８３】
登録部２０は、ネットワーク２を介して、病院システム３からインデックス情報を受け付けると、当該インデックス情報に対応するエントリを、記憶部２２に記憶されている例えば、図１３に示すインデックスリスト１０８に追加する。なお、インデックスリスト１０８の１行毎のエントリは、１つのインデックス情報を表す。
【００８４】
記憶部２２には、インデックスリスト１０８が記憶されている。ここで、インデックスリスト１０８の「画像サーバ情報」の欄と、「サムネイル格納情報」の欄との関係は、「画像サーバ情報」の欄の情報が示す病院の、「サムネイル格納情報」の欄の情報が示す格納先に、対応するサムネイル画像が格納されていることを示す。なお、「画像サーバ情報」の欄と、「画像格納情報」の欄との関係についても同様である。
【００８５】
検索部２４は、ネットワーク２を介して、病院システム３からアクション履歴表示要求を受け付けると、インデックスリスト１０８から、受け付けたアクション履歴表示要求に含まれる患者ＩＤに対応するインデックス情報を取得する。
【００８６】
具体的には、検索部２４は、インデックスリスト１０８に含まれるインデックス情報の「患者ＩＤ」の欄の情報が、受け付けたアクション履歴表示要求に含まれる患者ＩＤと一致するインデックス情報の各々を、サムネイルインデックス情報として取得する。
【００８７】
また、検索部２４は、取得したサムネイルインデックス情報の各々について、当該サムネイルインデックス情報に対応するサムネイル画像を問い合わせるためのサムネイル問合せ情報を生成し、ネットワーク２を介して、対応する病院システム３に送信する。なお、サムネイル問合せ情報には、サムネイルインデックス情報のエントリＩＤと、サムネイル格納情報と、シリーズＵＩＤと、検査ＵＩＤとが含まれるものとする。
【００８８】
具体的には、検索部２４は、サムネイルインデックス情報の「検査ＵＩＤ」の欄から、検査ＵＩＤの情報を、「シリーズＵＩＤ」の欄から、シリーズＵＩＤの情報を、「サムネイル格納情報」の欄から、サムネイル格納情報を取得する。また、検索部２４は、サムネイルインデックス情報の「ＩＤ」の欄からエントリＩＤを取得する。
【００８９】
また、検索部２４は、取得した各情報に基づいてサムネイル問合せ情報を生成する。また、検索部２４は、対応する病院システム３を、サムネイルインデックス情報の「画像サーバ情報」の欄の情報から取得し、当該サムネイルインデックス情報に対応するサムネイル問合せ情報を、当該対応する病院システム３に、ネットワーク２を介して送信する。
【００９０】
また、検索部２４は、ネットワーク２を介して、病院システム３から時系列表示要求を受け付けると、インデックスリスト１０８から、受け付けた時系列表示要求に含まれる患者ＩＤに対応するインデックス情報を取得する。
【００９１】
具体的には、検索部２４は、インデックスリスト１０８に含まれるインデックス情報の「患者ＩＤ」の欄の情報が、受け付けた時系列表示要求に含まれる患者ＩＤと一致するインデックス情報の各々を、グラフインデックス情報として取得する。
【００９２】
また、検索部２４は、取得したグラフインデックス情報の各々を、グラフ作成部２６に出力する。
【００９３】
また、検索部２４は、取得したグラフインデックス情報の各々について、当該グラフインデックス情報に対応するイベントを問い合わせるためのイベント問合せ情報を生成し、ネットワーク２を介して、対応する病院システム３に送信する。なお、イベント問合せ情報には、グラフインデックス情報のエントリＩＤと、検査ＵＩＤとが含まれるものとする。
【００９４】
具体的には、検索部２４は、グラフインデックス情報の「ＩＤ」の欄から、エントリＩＤの情報を、「検査ＵＩＤ」の欄から、検査ＵＩＤの情報を取得し、イベント問合せ情報を生成する。
【００９５】
また、検索部２４は、対応する病院システム３を、グラフインデックス情報の「画像サーバ情報」の欄の情報から取得する。また、検索部２４は、取得した「画像サーバ情報」の欄の情報に基づいて、当該グラフインデックス情報に対応するイベント問合せ情報を、当該対応する病院システム３に、ネットワーク２を介して送信する。
【００９６】
また、検索部２４は、ネットワーク２を介して、病院システム３からドラッグ操作表示要求を受け付けると、当該ドラッグ操作表示要求に対応するインデックス情報を取得する。また、検索部２４は、受け付けたドラッグ操作表示要求を表示制御部２８に出力する。
【００９７】
具体的には、検索部２４は、インデックスリスト１０８に含まれるインデックス情報の「患者ＩＤ」及び「検査ＵＩＤ」の欄の情報が、受け付けたドラッグ操作表示要求に含まれる患者ＩＤ及び検査ＵＩＤと一致するインデックス情報を取得する。
【００９８】
また、検索部２４は、取得したインデックス情報のうち、「シリーズＵＩＤ」及び「画像サーバ情報」の欄が、受け付けたドラッグ操作表示要求に含まれるシリーズＵＩＤ及び病院情報と一致するインデックス情報をドラッグインデックス情報として取得する。
【００９９】
また、検索部２４は、取得したドラッグインデックス情報について、当該ドラッグインデックス情報に対応するシリーズの画像群を問い合わせるためのシリーズ画像問合せ情報を、ネットワーク２を介して、対応する病院システム３に送信する。なお、シリーズ画像問合せ情報には、ドラッグインデックス情報の画像格納場所の情報と、ドラッグインデックス情報に含まれるエントリＩＤとが含まれるものとする。
【０１００】
具体的には、検索部２４は、ドラッグインデックス情報の「ＩＤ」の欄から、エントリＩＤの情報を、「画像格納場所」の欄から、画像格納場所の情報を取得し、シリーズ画像問合せ情報を生成する。
【０１０１】
また、検索部２４は、対応する病院システム３を、ドラッグインデックス情報の「画像サーバ情報」の欄の情報から取得し、当該ドラッグインデックス情報に対応するシリーズ画像問合せ情報を、当該対応する病院システム３に、ネットワーク２を介して送信する。
【０１０２】
また、検索部２４は、ネットワーク２を介して、病院システム３から検査日情報表示要求を受け付けると、当該検査日情報表示要求に含まれる検査日情報、及び患者ＩＤに対応するインデックス情報を取得する。また、検索部２４は、取得した検査日情報を、表示制御部２８に出力する。
【０１０３】
具体的には、検索部２４は、インデックスリスト１０８に含まれるインデックス情報の「患者ＩＤ」及び「検査日」の欄の情報が、受け付けた検査日情報表示要求に含まれる患者ＩＤ及び検査日情報の各々の検査日と一致するインデックス情報の各々を取得する。
【０１０４】
また、検索部２４は、検査日情報の各々について、取得したインデックス情報のうち、「検査ＵＩＤ」の欄が、検査日情報の検査ＵＩＤと一致し、「シリーズＵＩＤ」の欄が、検査日情報のシリーズＵＩＤと一致するインデックス情報の各々を取得する。
【０１０５】
更に、検索部２４は、検査日情報の各々について、取得したインデックス情報のうち、「画像サーバ情報」の欄が、検査日情報の病院の情報と一致するインデックス情報の各々を検査日インデックス情報の各々として取得する。
【０１０６】
また、検索部２４は、取得した検査日インデックス情報の各々について、当該検査日インデックス情報に対応するシリーズの画像群を問い合わせるための検査日画像問合せ情報を、ネットワーク２を介して、対応する病院システム３に送信する。なお、検査日画像問合せ情報には、検査日インデックス情報の画像格納情報が含まれるものとする。
【０１０７】
具体的には、検索部２４は、検査日インデックス情報の「画像格納情報」の欄から、画像格納情報を取得し、検査日画像問合せ情報を生成する。また、検索部２４は、対応する病院システム３を、検査日インデックス情報の「画像サーバ情報」の欄の情報から取得し、当該検査日インデックス情報に対応する検査日画像問合せ情報を、当該対応する病院システム３に、ネットワーク２を介して送信する。
【０１０８】
グラフ作成部２６は、検索部２４から受け付けたグラフインデックス情報の各々に基づいて、例えば、図１４に示すグラフを作成し、表示制御部２８へ出力する。
【０１０９】
具体的には、グラフ作成部２６は、グラフインデックス情報の各々を、「検査日」の欄と、「画像サーバ情報」の欄とが一致するグラフインデックス情報群毎に分割し、当該グラフインデックス情報群を検査日に対応するグラフインデックス情報群とする。
【０１１０】
また、グラフ作成部２６は、取得した検査日に対応するグラフインデックス情報群の各々を、検査日順に並べ、検査日の古い方から、図１４に示すグラフのように、対応する時期にブロックを積み上げるようにグラフを作成する。
【０１１１】
なお、グラフインデックス情報群の１つが１つのブロックに対応する。また、１つのブロックに、対応するグラフインデックス情報群に含まれるグラフインデックス情報毎の検査日、検査ＵＩＤ、シリーズＵＩＤ、病院の情報（画像サーバ情報）を含む検査日情報の各々が埋め込まれることとする。
【０１１２】
表示制御部２８は、ネットワーク２を介して病院システム３から受け付けたサムネイル画像情報の各々に基づいて、図８に示す画面を表示させるための画像情報を生成する。
【０１１３】
また、表示制御部２８は、生成した画像情報を、アクション履歴表示要求の送信元の病院システム３に、ネットワーク２を介して送信する。
【０１１４】
具体的には、表示制御部２８は、サムネイル画像情報の各々について、インデックスリスト１０８に含まれるインデックス情報の「ＩＤ」の欄が、当該サムネイル画像情報に含まれるエントリＩＤと一致するインデックス情報を取得する。
【０１１５】
また、表示制御部２８は、サムネイル画像情報の各々について、取得したインデックス情報の「検査ＵＩＤ」の欄、「シリーズＵＩＤ」の欄、及び「画像サーバ情報」の欄の情報を、対応する検査ＵＩＤ、シリーズＵＩＤ、及び病院情報として取得する。
【０１１６】
また、表示制御部２８は、サムネイル画像情報の各々について、当該サムネイル画像情報に含まれるサムネイル画像に、取得した対応する検査ＵＩＤ、シリーズＵＩＤ、及び病院情報を埋め込む。
【０１１７】
また、表示制御部２８は、サムネイル画像情報の各々について、当該サムネイル画像情報に含まれるアノテーションフラグの情報が「１」である場合に、当該サムネイル画像情報に含まれるサムネイル画像を強調表示するように設定する。
【０１１８】
また、表示制御部２８は、各種情報を埋め込んだサムネイル画像の各々が、図８に示すサムネイル画像表示部１５６に表示されるように画面情報を生成し、当該画面情報を、ネットワーク２を介して、対応する病院システム３に送信する。
【０１１９】
このようにすることにより、アノテーションフラグの情報が「１」であるサムネイル画像を、アノテーションフラグの情報が「０」であるサムネイル画像と識別可能に表示することができる。
【０１２０】
また、表示制御部２８は、グラフ作成部２６から入力された図１４に示すグラフを画面に表示させるための画面情報を生成する。また、表示制御部２８は、生成した画面情報を、時系列表示要求の送信元の病院システム３に、ネットワーク２を介して送信する。
【０１２１】
また、表示制御部２８は、ネットワーク２を介して病院システム３から受け付けた対応イベント情報の各々と、グラフ作成部２６から入力されたグラフに基づいて、図１０に示すグラフを画面に表示させるための画面情報を生成する。
【０１２２】
具体的には、表示制御部２８は、対応イベント情報の各々について、当該対応イベント情報に含まれるエントリＩＤに対応するインデックス情報をインデックスリスト１０８から取得する。また、表示制御部２８は、対応イベント情報の各々について、取得したインデックス情報の「検査日」、「検査ＵＩＤ」、「シリーズＵＩＤ」、及び「画像サーバ情報」の各々の欄の情報を取得する。
【０１２３】
また、表示制御部２８は、対応イベント情報の各々について、取得した各欄の情報と、取得したグラフのブロック毎に埋め込まれている検査日、検査ＵＩＤ、シリーズＵＩＤ、及び病院の情報とが一致するブロックを特定する。
【０１２４】
また、表示制御部２８は、対応イベント情報の各々について、図１０に示すように特定したブロックに、当該対応イベント情報に含まれるイベント情報を付加したグラフを作成する。なお、特定したブロックが、開示の技術における関連付けられている検査日の一例である。
【０１２５】
また、表示制御部２８は、作成したグラフを画面に表示させるための画面情報を作成し、時系列表示要求の送信元の病院システム３に、ネットワーク２を介して送信する。
【０１２６】
また、表示制御部２８は、シリーズ画像情報と、検索部２４から入力されたドラッグ操作表示要求とに基づいて、図９に示すように対応するシリーズ画像を画面の対応する位置に表示させるための画面情報を生成する。なお、シリーズ画像情報は、ネットワーク２を介して病院システム３から受け付けたシリーズ画像情報である。
【０１２７】
具体的には、表示制御部２８は、受け付けたシリーズの画像群のシリーズ内の１枚目が、ドラッグ操作表示要求に含まれる位置情報が示す位置に表示されるように画面情報を生成する。また、表示制御部２８は、生成した画面情報を、ドラッグ操作表示要求の送信元の病院システム３に、ネットワーク２を介して送信する。
【０１２８】
また、表示制御部２８は、ネットワーク２を介して病院システム３から受け付けた、検査日シリーズ画像情報に含まれるシリーズ毎の画像の各々と、検索部２４から入力された検査日情報の各々とに基づいて、画面情報を生成する。
【０１２９】
具体的には、表示制御部２８は、受け付けた検査日シリーズ画像情報に含まれるシリーズ毎に、当該シリーズの画像群のうちの１枚目が、図１１に示すシリーズ画像表示部１５８の各々に表示されるように画面情報を生成する。
【０１３０】
また、表示制御部２８は、生成された画面情報について、図１１に示すシリーズ画像表示部１５８の各々に、取得した検査日情報に含まれるイベント情報が表示されるように、図１１に示すような画面を構成する画面情報を生成する。
【０１３１】
また、表示制御部２８は、生成した画面情報を、検査日情報の送信元の病院システム３に、ネットワーク２を介して送信する。
【０１３２】
統合管理装置４は、例えば図１５に示すコンピュータ２００で実現することができる。コンピュータ２００はＣＰＵ２０２、一時記憶領域としてのメモリ２０４、及び不揮発性の記憶装置２０６を備える。また、コンピュータ２００は、入出力装置２０８が接続される入出力インターフェース（Ｉ／Ｆ）２１０を備える。また、コンピュータ２００は、記録媒体２１２に対するデータの読み込み及び書き込みを制御するｒｅａｄ／ｗｒｉｔｅ（Ｒ／Ｗ）部２１４、及びインターネット等のネットワーク２に接続されるネットワークＩ／Ｆ２１６を備える。ＣＰＵ２０２、メモリ２０４、記憶装置２０６、入出力Ｉ／Ｆ２１０、Ｒ／Ｗ部２１４、及びネットワークＩ／Ｆ２１６は、バス２１８を介して互いに接続される。
【０１３３】
記憶装置２０６はＨＤＤ（Hard Disk Drive）、ＳＳＤ（Solid State Drive）、フラッシュメモリ等によって実現できる。記憶媒体としての記憶装置２０６には、コンピュータ２００を統合管理装置４として機能させるための統合管理プログラム３１０が記憶される。また、記憶装置２０６は、インデックス情報の各々が記憶される情報記憶領域３５０を有する。
【０１３４】
ＣＰＵ２０２は、統合管理プログラム３１０を記憶装置２０６から読みだしてメモリ２０４に展開する。また、ＣＰＵ２０２は、統合管理プログラム３１０が有するプロセスを順次実行する。
【０１３５】
また、ＣＰＵ２０２は、情報記憶領域３５０に記憶されたインデックス情報の各々を読み出し、インデックスリスト１０８としてメモリ２０４に展開する。
【０１３６】
統合管理プログラム３１０は、登録プロセス３１２と、検索プロセス３１４と、グラフ作成プロセス３１６と、表示制御プロセス３１８とを有する。
【０１３７】
ＣＰＵ２０２は、登録プロセス３１２を実行することで、図１２に示す登録部２０として動作する。また、ＣＰＵ２０２は、検索プロセス３１４を実行することで、図１２に示す検索部２４として動作する。また、ＣＰＵ２０２は、グラフ作成プロセス３１６を実行することで、図１２に示すグラフ作成部２６として動作する。また、ＣＰＵ２０２は、表示制御プロセス３１８を実行することで、図１２に示す表示制御部２８として動作する。
【０１３８】
これにより、統合管理プログラム３１０を実行したコンピュータ２００が、統合管理装置４として機能することになる。
【０１３９】
なお、統合管理装置４は、例えば半導体集積回路、より詳しくはＡＳＩＣ（Application Specific Integrated Circuit）等で実現することも可能である。
【０１４０】
次に、図１６、１７、１８、及び１９のシーケンス図を用いて、第１の実施形態に係る画像表示システム１全体の処理の流れを説明する。
【０１４１】
まず、図１６のシーケンス図に従って、医師用端末１８にサムネイル画像を表示する際の全体の処理の流れを簡単に説明する。図１６において、まず、医師用端末１８において、患者ＩＤの入力を受け付けると、図７に示す画像参照画面１５０が医師用端末１８に表示される。
【０１４２】
また、医師用端末１８において、図７に示す画像参照画面１５０のアクション履歴表示ボタン１５２が押下されると、アクション履歴表示要求が統合管理装置４へ送信される。
【０１４３】
また、統合管理装置４において、アクション履歴表示要求を受け付けると、サムネイル問合せ情報の各々が生成され、対象となる地域連携サーバ１６にサムネイル問合せ情報の各々が送信される。
【０１４４】
また、地域連携サーバ１６において、サムネイル問合せ情報を受け付けると、サムネイル画像情報が生成され、生成されたサムネイル画像情報が統合管理装置４へ送信される。
【０１４５】
また、統合管理装置４において、サムネイル画像情報を受け付けると、アノテーションフラグの情報が「１」となるサムネイル画像を強調表示するような画面情報が生成され、生成された画面情報が、対応する医師用端末１８へ送信される。
【０１４６】
そして、医師用端末１８が、画面情報を受け付けると、図８に示すような、アノテーションフラグの情報が「１」である、サムネイル画像が強調表示されている画像参照画面１５０が表示される。
【０１４７】
次に、図１７のシーケンス図に従って、医師用端末１８において、サムネイル画像がドラッグ操作された際の全体の処理の流れを簡単に説明する。
【０１４８】
図１７において、まず、医師用端末１８において、ドラッグ操作が行われると、ドラッグ操作表示要求が、統合管理装置４へ送信される。また、統合管理装置４が、ドラッグ操作表示要求を受け付けると、シリーズ画像問合せ情報が生成され、生成されたシリーズ画像問合せ情報が、対応する地域連携サーバ１６に送信される。
【０１４９】
また、地域連携サーバ１６において、シリーズ画像問合せ情報を受け付けると、シリーズ画像情報が生成され、生成されたシリーズ画像情報が、統合管理装置４へ送信される。
【０１５０】
また、統合管理装置４において、シリーズ画像情報を受け付けると、対応するシリーズ画像を図９に示す画像参照画面１５０のシリーズ画像表示部１５８に表示させるような画面情報が生成され、生成された画面情報が医師用端末１８に送信される。
【０１５１】
また、医師用端末１８において、画面情報を受け付けると、図９に示す画像参照画面１５０のシリーズ画像表示部１５８に対応するシリーズ画像の１枚目が表示される。
【０１５２】
次に、図１８のシーケンス図に従って、医師用端末１８にグラフを表示する際の全体の処理の流れを簡単に説明する。なお、前提として、図７に示す画像参照画面１５０が医師用端末１８に表示されている場合について説明する。
【０１５３】
図１８において、まず、医師用端末１８において、図７に示す画像参照画面１５０の時系列表示ボタン１５４が押下されると、時系列表示要求が統合管理装置４へ送信される。
【０１５４】
また、統合管理装置４は、時系列表示要求を受け付けると、イベント問い合わせ情報の各々が生成され、生成されたイベント問い合わせ情報の各々が、対応する地域連携サーバ１６へ送信される。
【０１５５】
また、統合管理装置４は、時系列表示要求を受け付けると、図１４に示すようなグラフを表示させる画面情報を生成し、医師用端末１８に送信する。
【０１５６】
また、医師用端末１８は、画面情報を受け付けると、図１４に示すグラフを表示させる。また、地域連携サーバ１６において、イベント問い合わせ情報を受け付けると、対応イベント情報が生成され、生成された対応イベント情報が統合管理装置４へ送信される。
【０１５７】
また、統合管理装置４において、対応イベント情報を受け付けると、統合管理装置において、図１０に示すようなイベント情報が付されたグラフを表示させるような画面情報が生成され、生成された画面情報が医師用端末１８に送信される。
【０１５８】
そして、医師用端末１８において、画面情報を受け付けると、図１０に示すようなイベント情報が付加されたグラフが表示される。
【０１５９】
次に、図１９のシーケンス図に従って、医師用端末１８に選択された検査日に対応するシリーズ毎の画像の各々を表示する際の全体の処理の流れを簡単に説明する。なお、前提として、図１０に示すグラフが医師用端末１８に表示されている場合について説明する。
【０１６０】
図１９において、まず、医師用端末１８において、図１０に示すグラフ上の任意の検査日３０２が選択されると、検査日情報表示要求が統合管理装置４へ送信される。
【０１６１】
また、統合管理装置４において、検査日情報表示要求を受け付けると、検査日画像問合せ情報の各々が生成され、生成された検査日画像問合せ情報の各々が対応する地域連携サーバ１６に送信される。
【０１６２】
また、地域連携サーバ１６において、検査日画像問合せ情報を受け付けると、検査日シリーズ画像情報が生成され、生成された検査日シリーズ画像情報が、統合管理装置４へ送信される。
【０１６３】
また、統合管理装置４において、検査日シリーズ画像情報を受け付けると、各シリーズの画像群の１枚目が、図１１に示す画像参照画面１５０のシリーズ画像表示部１５８に表示されるような画面情報が生成される。また、統合管理装置４において、生成された画面情報が医師用端末１８に送信される。
【０１６４】
また、医師用端末１８において、画面情報を受け付けると、図１１に示す画像参照画面１５０のシリーズ画像表示部１５８の各々に対応するシリーズ画像の１枚目が表示される。
【０１６５】
次に、本実施形態に係る統合管理装置４の作用について説明する。まず、病院システム３からインデックス情報を受け付けると、当該インデックス情報に対応するエントリを、記憶部２２に記憶されているインデックスリスト１０８に追加する。
【０１６６】
次に、病院システム３から、ネットワーク２を介してアクション履歴表示要求を受け付けると、統合管理装置４において、図２０に示すサムネイル画像表示処理が実行される。
【０１６７】
なお、統合管理装置４により実行されるサムネイル画像表示処理は、開示する技術の画像表示方法の一例である。以下、サムネイル画像表示処理について詳述する。
【０１６８】
図２０は、サムネイル画像表示処理の一例を示すフローチャートである。図２０に示すサムネイル画像表示処理のフローチャートにおいて、まず、ステップＳ１で、検索部２４は、受け付けたアクション履歴表示要求に含まれる患者ＩＤと、インデックスリスト１０８とに基づいて、サムネイル問合せ情報の各々を生成する。
【０１６９】
次に、ステップＳ３で、検索部２４は、ステップＳ１において生成したサムネイル問合せ情報の各々を対応する病院システム３の各々に、送信する。
【０１７０】
次に、ステップＳ４で、表示制御部２８は、ステップＳ３において送信したサムネイル問合せ情報の各々に対応する全てのサムネイル画像情報の各々を取得したか否かを判定する。表示制御部２８が、全てのサムネイル画像情報の各々を取得したと判定した場合には、サムネイル画像表示処理は、ステップＳ６へ移行する。一方、表示制御部２８が、全てのサムネイル画像情報の各々を取得していないと判定した場合には、サムネイル画像表示処理は、ステップＳ４を繰り返す。
【０１７１】
次に、ステップＳ６で、表示制御部２８は、ステップＳ４において取得したサムネイル画像情報の各々のうち、処理対象となるサムネイル画像情報を決定する。
【０１７２】
次に、ステップＳ８で、表示制御部２８は、処理対象となるサムネイル画像情報に含まれるアノテーションフラグの情報が「１」であるか否かを判定する。表示制御部２８が、アノテーションフラグの情報が「１」であると判定した場合には、サムネイル画像表示処理は、ステップＳ１０へ移行する。一方、表示制御部２８が、アノテーションフラグの情報が「０」であると判定した場合には、サムネイル画像表示処理は、ステップＳ１２へ移行する。
【０１７３】
次に、ステップＳ１０で、表示制御部２８は、処理対象となるサムネイル画像情報に含まれるサムネイル画像を強調表示するように設定する。
【０１７４】
次に、ステップＳ１２で、表示制御部２８は、ステップＳ４において取得した全てのサムネイル画像情報について、ステップＳ６から、ステップＳ８、又はステップＳ１０までの処理を終了したか否かを判定する。表示制御部２８が、取得した全てのサムネイル画像情報について、ステップＳ６から、ステップＳ８、又はステップＳ１０までの処理を終了したと判定した場合には、サムネイル画像表示処理は、ステップＳ１４へ移行する。一方、表示制御部２８が、取得した全てのサムネイル画像情報について、ステップＳ６から、ステップＳ８、又はステップＳ１０までの処理を終了していないと判定した場合には、サムネイル画像表示処理は、ステップＳ６へ移行する。そして、表示制御部２８が、処理対象となるサムネイル画像を決定し、ステップＳ８〜ステップＳ１２までの処理を繰り返す。
【０１７５】
次に、ステップＳ１４で、表示制御部２８は、ステップＳ４において取得したサムネイル画像情報の各々について、ステップＳ１０において強調表示の設定がされたサムネイル画像が強調表示されるような画面が表示される画面情報を作成する。なお、サムネイル画像の各々には、対応する検査ＵＩＤ、シリーズＵＩＤ、及び病院情報が埋め込まれるものとする。
【０１７６】
次に、ステップＳ１６で、表示制御部２８は、ステップＳ１４において生成した画面情報を、ネットワーク２を介して、対応する病院システム３に送信し、サムネイル画像表示処理を終了する。
【０１７７】
次に、病院システム３からネットワーク２を介して、時系列表示要求を受け付けると、統合管理装置４において、図２１に示すグラフ表示処理が実行される。なお、統合管理装置４により実行されるグラフ表示処理は、開示する技術の画像表示方法の一例である。以下、グラフ表示処理について詳述する。
【０１７８】
図２１は、グラフ表示処理の一例を示すフローチャートである。図２１に示すグラフ表示処理のフローチャートにおいて、まず、ステップＳ３０で、検索部２４は、受け付けた患者ＩＤと、インデックスリスト１０８とに基づいて、グラフインデックス情報の各々を取得する。
【０１７９】
次に、ステップＳ３２で、グラフ作成部２６は、ステップＳ３０において取得したグラフインデックス情報の各々に基づいて、図１４に示すグラフを作成する。
【０１８０】
次に、ステップＳ３４で、表示制御部２８は、ステップＳ３２において作成したグラフを表示するための画面情報を生成し、対応する病院システム３に、ネットワーク２を介して送信する。
【０１８１】
次に、ステップＳ３６で、検索部２４は、ステップＳ３０において取得したグラフインデックス情報の各々に基づいて、イベント問合せ情報の各々を生成し、イベント問い合わせ情報の各々を、ネットワーク２を介して、対応する病院システム３の各々に送信する。
【０１８２】
次に、ステップＳ３８で、表示制御部２８は、ステップＳ３６において送信したイベント問い合わせ情報の各々に対応する、全ての対応イベント情報の各々を取得したか否かを判定する。表示制御部２８が、全ての対応イベント情報の各々を取得したと判定した場合には、グラフ表示処理は、ステップＳ４０へ移行する。一方、表示制御部２８が、全ての対応イベント情報の各々を取得していないと判定した場合には、グラフ表示処理は、ステップＳ３８を繰り返す。
【０１８３】
次に、ステップＳ４０で、表示制御部２８が、取得した対応イベント情報の各々と、インデックスリスト１０８と、ステップＳ３２において作成したグラフとに基づいて、図１０に示すようにイベントを付加したグラフが表示される画面情報を生成する。
【０１８４】
次に、ステップＳ４２で、表示制御部２８が、ステップＳ４０において生成した画面情報を、ネットワーク２を介して、対応する病院システム３に送信し、グラフ表示処理を終了する。
【０１８５】
次に、病院システム３からネットワーク２を介して、ドラッグ操作表示要求を受け付けると、統合管理装置４において、図２２に示すシリーズ画像表示処理が実行される。なお、統合管理装置４により実行されるシリーズ画像表示処理は、開示する技術の画像表示方法の一例である。以下、シリーズ画像表示処理について詳述する。
【０１８６】
図２２は、シリーズ画像表示処理の一例を示すフローチャートである。図２２に示すシリーズ画像表示処理のフローチャートにおいて、まず、ステップＳ５０で、検索部２４は、受け付けたドラッグ操作表示要求と、インデックスリスト１０８とに基づいて、シリーズ画像問合せ情報を生成する。
【０１８７】
次に、ステップＳ５２で、検索部２４は、ステップＳ５０において取得したシリーズ画像問合せ情報を、対応する病院システム３に、ネットワーク２を介して、送信する。
【０１８８】
次に、ステップＳ５４で、表示制御部２８は、ネットワーク２を介して、病院システム３から、シリーズ画像情報を取得したか否かを判定する。表示制御部２８が、シリーズ画像情報を取得した場合には、シリーズ画像表示処理は、ステップＳ５６へ移行する。一方、表示制御部２８が、シリーズ画像情報を取得していない場合には、シリーズ画像表示処理は、ステップＳ５４を繰り返す。
【０１８９】
次に、ステップＳ５６で、表示制御部２８は、ステップＳ５４において取得したシリーズ画像情報と、受け付けたドラッグ操作表示要求とに基づいて、シリーズ画像の１枚目を対応する位置に表示するための画面情報を生成する。
【０１９０】
次に、ステップＳ５８で、表示制御部２８は、ステップＳ５６において生成した画面情報を、対応する病院システム３に送信し、シリーズ画像表示処理を終了する。
【０１９１】
次に、ネットワーク２を介して、病院システム３からネットワーク２を介して、検査日情報表示要求を受け付けると、統合管理装置４において、図２３に示す検査日シリーズ画像表示処理が実行される。なお、統合管理装置４により実行される検査日シリーズ画像表示処理は、開示する技術の画像表示方法の一例である。以下、検査日シリーズ画像表示処理について詳述する。
【０１９２】
図２３は、検査日シリーズ画像表示処理の一例を示すフローチャートである。図２３に示す検査日シリーズ画像表示処理のフローチャートにおいて、まず、ステップＳ６０で、検索部２４は、検査日情報の各々、及び患者ＩＤと、インデックスリスト１０８とに基づいて、検査日画像問合せ情報の各々を生成する。なお、検査日情報の各々、及び患者ＩＤは、受け付けた検査日情報表示要求に含まれる。
【０１９３】
次に、ステップＳ６２で、検索部２４は、ステップＳ６０において生成した検査日画像問合せ情報の各々を、対応する病院システム３の各々に、ネットワーク２を介して送信する。
【０１９４】
次に、ステップＳ６４で、表示制御部２８は、ステップＳ６２において送信した検査日画像問い合わせ情報の各々に対応する、全ての検査日シリーズ画像情報の各々を取得したか否かを判定する。表示制御部２８が、全ての対応する検査日シリーズ画像情報の各々を取得したと判定した場合には、検査日シリーズ画像表示処理は、ステップＳ６６へ移行する。一方、表示制御部２８が、全ての対応する検査日シリーズ画像情報の各々を取得していないと判定した場合には、検査日シリーズ画像表示処理は、ステップＳ６４を繰り返す。
【０１９５】
次に、ステップＳ６６で、表示制御部２８は、ステップＳ６４において取得した検査日シリーズ画像情報の各々に基づいて、シリーズ毎の画像の各々のシリーズ内の１枚目が、表示されるように画面情報を生成する。
【０１９６】
次に、ステップＳ６８で、表示制御部２８は、ステップＳ６６において生成した画面情報を、対応する病院システム３に、ネットワーク２を介して送信し、検査日シリーズ画像情報処理を終了する。
【０１９７】
以上説明したように、第１の実施形態によれば、アノテーション操作が記載された画像を含むシリーズを強調表示する。アノテーション操作が記載された画像は、検査画像を登録したシステム側において注目された画像である。そのため、検査画像を登録したシステム側において注目された検査画像を、他のシステム側でも参照すべき検査画像として適切に提供することができる。これにより、効率的な診療を実現することができる。
【０１９８】
また、第１の実施形態によれば、対象となる患者の検査日毎のイベントを時系列に表示する。これにより、検査画像を登録したシステム側から提供される膨大な情報から、他のシステム側において、入院、退院等のイベントにピンポイントに着目して、注目すべき情報を容易に把握することができる。さらに、過去の検査歴が時系列に表示されるため、治療経過に応じた検査結果を容易に抽出して比較参照することができる。
【０１９９】
また、病院医師が比較したい診療イベント時期の画像を表示することが可能となる。例えば、グラフに表示されているイベントに対応する検査日を選択することにより、当該イベントに対応する検査日のシリーズ毎の画像の各々を表示することができる。なお、選択の方法により、特定の検査日を起点として検査画像を参照することもできる。
【０２００】
次に、第２の実施形態について説明する。なお、第１の実施形態と同様の構成及び作用となる部分については、同一符号を付して説明を省略する。
【０２０１】
第２の実施形態では、サムネイル画像を、アノテーション記載の操作が行われた画像を含むシリーズに対応するサムネイル画像のみを表示する点が、第１の実施形態と異なっている。
【０２０２】
図１は、第２の実施形態の画像表示システム５の一例である。図１に示すように、画像表示システム５は、病院システム３の各々と、統合管理装置６とを有する。
【０２０３】
次に、第２の実施形態に係る統合管理装置６について説明する。図２４に、第２の実施形態に係る統合管理装置６の機能ブロック図を示す。図２４に示すように、統合管理装置６は、登録部２０と、記憶部２２と、検索部２４と、グラフ作成部２６と、表示制御部３０とを有する。
【０２０４】
表示制御部３０は、ネットワーク２を介して病院システム３から受け付けたサムネイル画像情報に基づいて、図２５に示す画面を表示させるための画像情報を生成する。また、表示制御部３０は、生成した画像情報を、アクション履歴表示要求の送信元の病院システム３に、ネットワーク２を介して送信する。
【０２０５】
具体的には、表示制御部３０は、受け付けたサムネイル画像情報のアノテーションフラグの情報が「１」であるサムネイル画像情報を対象サムネイル画像情報とする。また、表示制御部３０は、インデックスリスト１０８に含まれるインデックス情報の「ＩＤ」の欄が、対象サムネイル画像情報に含まれるエントリＩＤと一致するインデックス情報を取得する。
【０２０６】
また、表示制御部２８は、対象サムネイル画像情報の各々について、取得したインデックス情報の「検査ＵＩＤ」の欄の情報を当該対象サムネイル画像情報に対応する検査ＵＩＤとして取得する。
【０２０７】
また、表示制御部２８は、対象サムネイル画像情報の各々について、取得したインデックス情報の「シリーズＵＩＤ」の欄の情報を当該対象サムネイル画像情報に対応するシリーズＵＩＤとして取得する。
【０２０８】
また、表示制御部２８は、対象サムネイル画像情報の各々について、取得したインデックス情報の「画像サーバ情報」の欄の情報を、当該対象サムネイル画像情報に対応する病院情報として取得する。
【０２０９】
また、表示制御部２８は、対象サムネイル画像情報の各々について、当該対象サムネイル画像情報に含まれるサムネイル画像に、取得した当該対象サムネイル画像に対応する検査ＵＩＤ、シリーズＵＩＤ、及び病院情報を埋め込む。
【０２１０】
また、表示制御部２８は、各種情報を埋め込んだサムネイル画像の各々が、図２５に示すサムネイル画像表示部１５６に表示されるように画面情報を生成し、当該画面情報を、ネットワーク２を介して、対応する病院システム３に送信する。このようにすることにより、アノテーションフラグの情報が「１」であるサムネイル画像を表示することができる。
【０２１１】
なお、他の統合管理装置６の構成は、第１の実施形態に係る統合管理装置４と同様であるため、説明を省略する。
【０２１２】
統合管理装置６は、例えば図１５に示すコンピュータ２００で実現することができる。なお、第１の実施形態に係るコンピュータ２００と同様の構成については、説明を省略する。
【０２１３】
記憶媒体としての記憶装置２０６には、コンピュータ２００を統合管理装置６として機能させるための統合管理プログラム４１０が記憶される。
【０２１４】
ＣＰＵ２０２は、統合管理プログラム４１０を記憶装置２０６から読みだしてメモリ２０４に展開する。
【０２１５】
統合管理プログラム４１０は、登録プロセス３１２と、検索プロセス３１４と、グラフ作成プロセス３１６と、表示制御プロセス４１８とを有する。
【０２１６】
ＣＰＵ２０２は、表示制御プロセス４１８を実行することで、図２４に示す表示制御部３０として動作する。他のプロセスについては、第１の実施形態と同様のため、説明は省略する。
【０２１７】
これにより、統合管理プログラム４１０を実行したコンピュータ２００が、統合管理装置６として機能することになる。なお、統合管理装置６は、例えば、半導体集積回路、より詳しくはＡＳＩＣ等で実現することも可能である。
【０２１８】
第２の実施形態に係る統合管理装置６の作用について説明する。病院システム３からネットワーク２を介して、アクション履歴表示要求を受け付けると、統合管理装置６において、図２６に示すサムネイル画像表示処理が実行される。なお、統合管理装置６により実行されるサムネイル画像表示処理は、開示する技術の画像表示方法の一例である。以下、サムネイル画像表示処理について詳述する。なお、他の処理については、第１の実施形態に係る統合管理装置４と同様であるため、説明は省略する。
【０２１９】
図２６は、サムネイル画像表示処理の一例を示すフローチャートである。なお、第１の実施形態におけるサムネイル画像表示処理と同様の処理については、同一符号を付して、詳細な説明を省略する。
【０２２０】
ステップＳ９０で、表示制御部３０は、処理対象となるサムネイル画像情報を対象サムネイル画像と決定する。
【０２２１】
ステップＳ９２で、表示制御部３０は、ステップＳ９０において決定した対象サムネイル画像情報の各々について、当該対象サムネイル画像情報に含まれるサムネイル画像が表示されるような画面情報を生成する。
【０２２２】
以上説明したように、第２の実施形態によれば、アノテーション操作が記載された画像を含むシリーズを表示する。そのため、参照すべき検査結果画像を適切に提供することができる。
【０２２３】
また、第１及び第２の実施形態においては、アノテーション記載の操作を行った、シリーズのシリーズＵＩＤに対応する画像情報の「アノテーションフラグ」の欄の値を１に設定する場合について説明したが、これに限定されるものではない。例えば、医師により、画像に対して参照以外のアクション履歴（例えば、症例登録機能が使われた画像等）がある画像を含むシリーズのシリーズＵＩＤに対応する画像情報の「アノテーションフラグ」の欄の値を１に設定してもよい。また、「アノテーションフラグ」の欄の値は、初期値と区別できる値であれば任意の値等でもよい。
【０２２４】
また、第１及び第２の実施形態においては、各病院システムにおいて公開されている対応する全ての情報を時系列でグラフに表示する場合について説明したが、これに限定されるものではない。例えば、オプションとして、特定の病院システムにおいて公開されている対応する情報の各々を時系列でグラフに表示してもよい。また、表示する期間を指定してもよい。
【０２２５】
また、第１及び第２の実施形態においては、データの保持形式をリスト形式で保持する場合について説明したが、これに限定されるものではない。例えば、テーブル等、他のデータの保持形式を用いてもよい。
【０２２６】
また、第１及び第２の実施形態においては、統合管理装置において生成した画像情報を対応する病院システムに送信する場合について説明したが、これに限定されるものではない。例えば、統合管理装置にから必要な情報（例えばサムネイル画像等）を対応する病院システムに送信し、当該病院システム内の医師用端末において、表示用の画像情報を生成してもよい。
【０２２７】
また、上記では、開示する技術に係る各プログラムが記憶装置２０６に予め記憶（インストール）されている態様を説明したが、これに限定されない。開示の技術に係る各プログラムは、ＣＤ−ＲＯＭ、ＤＶＤ−ＲＯＭ、ＵＳＢメモリ等の記録媒体に記録された形態で提供することも可能である。
【０２２８】
以上の各実施形態に関し、更に以下の付記を開示する。
【０２２９】
（付記１）
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行う
処理をコンピュータに実行させる画像表示プログラム。
（付記２）
前記第２のシステムに提供する制御を行うことでは、前記第２のシステムから前記特定の患者の検査結果画像の取得要求を受信すると、前記特定の患者についての１又は複数の検査結果画像のうち、前記第１のシステムにおいて付加情報が登録された検査結果画像を前記第２のシステムに提供する付記１記載の画像表示プログラム。
（付記３）
更に、時間を第１の軸とし、前記時間毎の検査日の数を第２の軸とするグラフを生成し、
生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する付記１又は２記載の画像表示プログラム。
（付記４）
更に、前記第２のシステムにおいて前記グラフ上の検査日がユーザにより選択された場合、前記選択された前記検査日に対応する、前記特定の患者についての１又は複数の検査結果画像を前記第２のシステムに提供する付記３記載の画像表示プログラム。
（付記５）
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行う
ことを含む処理をコンピュータに実行させるための画像表示方法。
（付記６）
前記第２のシステムに提供する制御を行うことでは、前記第２のシステムから前記特定の患者の検査結果画像の取得要求を受信すると、前記特定の患者についての１又は複数の検査結果画像のうち、前記第１のシステムにおいて付加情報が登録された検査結果画像を前記第２のシステムに提供する付記５記載の画像表示方法。
（付記７）
更に、時間を第１の軸とし、前記時間毎の検査日の数を第２の軸とするグラフを生成し、
生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する付記５又は６記載の画像表示方法。
（付記８）
更に、前記第２のシステムにおいて前記グラフ上の検査日がユーザにより選択された場合、前記選択された前記検査日に対応する、前記特定の患者についての１又は複数の検査結果画像を前記第２のシステムに提供する付記８記載の画像表示方法。
（付記９）
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行う制御部
を含む、画像表示装置。
（付記１０）
前記制御部は、前記第２のシステムから前記特定の患者の検査結果画像の取得要求を受信すると、前記特定の患者についての１又は複数の検査結果画像のうち、前記第１のシステムにおいて付加情報が登録された検査結果画像を前記第２のシステムに提供する付記９記載の画像表示装置。
（付記１１）
更に、時間を第１の軸とし、前記時間毎の検査日の数を第２の軸とするグラフを生成するグラフ作成部を含み、
前記制御部は、生成した前記グラフ内の所定の注目すべき情報が関連付けられている検査日に、注目すべき情報の種類を付加すると共に、前記検査日に付加した種類が識別可能に前記第２のシステムにおいて表示されるように前記グラフを提供する付記９又は１０記載の画像表示装置。
（付記１２）
前記制御部は、更に、前記第２のシステムにおいて前記グラフ上の検査日がユーザにより選択された場合、前記選択された前記検査日に対応する、前記特定の患者についての１又は複数の検査結果画像を前記第２のシステムに提供する付記１１記載の画像表示装置。
（付記１３）
特定の患者についての検査結果画像が登録された第１のシステムとは異なる第２のシステムから前記特定の患者の検査結果画像の取得要求を受信すると、前記特定の患者についての１又は複数の検査結果画像のうち、前記第１のシステムにおいて付加情報が登録された検査結果画像を、前記第１のシステムにおいて付加情報が登録されていない検査結果画像と識別可能に前記第２のシステムに提供する制御を行う
処理をコンピュータに実行させる画像表示プログラムを記憶した記録媒体。
【符号の説明】
【０２３０】
１,５  画像表示システム
２     ネットワーク
３     病院システム
４,６  統合管理装置
１０   ＰＡＣＳサーバ
１２   電子カルテサーバ
１４   職員用端末
１６   地域連携サーバ
１８   医師用端末
２０   登録部
２２   記憶部
２４   検索部
２６   グラフ作成部
２８,３０     表示制御部
２００ コンピュータ
２０２ ＣＰＵ
２０４ メモリ
２０６ 記憶装置
２０８ 入出力装置
２１２ 記録媒体
３１０ 統合管理プログラム
３１２ 登録プロセス
３１４ 検索プロセス
３１６ グラフ作成プロセス
３１８ 表示制御プロセス
３５０ 情報記憶領域
４１０ 統合管理プログラム
４１８ 表示制御プロセス
【図１】
0006728595.tif 000002
【図２】
0006728595.tif 000003
【図３】
0006728595.tif 000004
【図４】
0006728595.tif 000005
【図５】
0006728595.tif 000006
【図６】
0006728595.tif 000007
【図７】
0006728595.tif 000008
【図８】
0006728595.tif 000009
【図９】
0006728595.tif 000010
【図１０】
0006728595.tif 000011
【図１１】
0006728595.tif 000012
【図１２】
0006728595.tif 000013
【図１３】
0006728595.tif 000014
【図１４】
0006728595.tif 000015
【図１５】
0006728595.tif 000016
【図１６】
0006728595.tif 000017
【図１７】
0006728595.tif 000018
【図１８】
0006728595.tif 000019
【図１９】
0006728595.tif 000020
【図２０】
0006728595.tif 000021
【図２１】
0006728595.tif 000022
【図２２】
0006728595.tif 000023
【図２３】
0006728595.tif 000024
【図２４】
0006728595.tif 000025
【図２５】
0006728595.tif 000026
【図２６】
0006728595.tif 000027